(57)【要約】【課題】衣服が棒状部材から脱落することを効果的に防止できる滑り止めシート及びこれを備えたハンガーを提供する。【解決手段】棒状部材１８は、衣服が掛けられる。滑り止め部２０は、棒状部材１８に貼り付けられている固定部２２、及び、該棒状部材１８から離れるように該固定部２２から延在している延在部２４により構成されていると共に、柔軟性を有している。延在部２４の少なくとも一部は、鉛直方向の上側から平面視したときに、棒状部材１８及び固定部２２と重なって隠れている領域Ｅの外に位置している。【選択図】図４
2010022451.tif 000002
【特許請求の範囲】
【請求項１】
衣服が掛けられる棒状部材を備えたハンガーに取り付けられる滑り止めシートにおいて、
前記棒状部材に貼り付けられる固定部と、
取り付け状態で、前記固定部から延在し、かつ、可撓性を有している延在部と、
を備え、
取り付け状態で、前記延在部の少なくとも一部は、鉛直方向の上側から平面視したときに、前記棒状部材及び前記固定部と重なって隠れている領域の外に位置すること、
を特徴とする滑り止めシート。
【請求項２】
一方の主面上に粘着剤層を有していると共に、１枚のシートが２つに折り曲げられて該粘着剤層を介して貼り合わされることにより、前記棒状部材を挟むこと、
を特徴とする請求項１に記載の滑り止めシート。
【請求項３】
２つに折り曲げられて形成される折れ線部分において前記棒状部材に巻き付くこと、
を特徴とする請求項２に記載の滑り止めシート。
【請求項４】
衣服が掛けられる棒状部材と、
前記棒状部材に貼り付けられている固定部、及び、該固定部から延在している延在部により構成されていると共に、可撓性を有している滑り止めシートと、
を備え、
前記延在部の少なくとも一部は、鉛直方向の上側から平面視したときに、前記棒状部材及び前記固定部と重なって隠れている領域の外に位置していること、
を特徴とするハンガー。
【発明の詳細な説明】
【技術分野】
【０００１】
本発明は、滑り止めシート及びこれを備えたハンガーに関し、より特定的には、衣服がハンガーから脱落することを防止する滑り止めシート及びこれを備えたハンガーに関する。
【背景技術】
【０００２】
ハンガーには、一般的には、水平方向に延在する棒状部材が設けられている。このような棒状部材には、衣服（例えば、スラックス）が逆Ｕ字状に掛けられる。
【０００３】
ところで、前記ハンガーでは、以下に説明するように、衣服が棒状部材から脱落し易いという問題がある。より詳細には、棒状部材は、樹脂、プラスチック、金属等の硬質な材料により作製される。このような硬質な材料と衣服とは、非常に滑り易い。更に、棒状部材は、比較的細く作製されるので、衣服との接触面積は小さい。よって、衣服と棒状部材との間には、十分な摩擦力が発生しにくい。その結果、衣服が棒状部材に掛けられる際において、ハンガーのバランスが僅かに崩れただけで、衣服は、簡単に棒状部材から脱落してしまう。
【０００４】
そこで、ハンガーには、衣服が脱落することを防止するために、例えば、衣服を挟むクリップが設けられていたり、棒状部材と共に衣服を挟んで、衣服をＳ字状に曲げる補助棒状部材が設けられたりしていた。また、近年では、ハンガーの棒状部材に滑り止め用の部材を取り付けることも提案されている。
【０００５】
前記滑り止め用の部材として、例えば、特許文献１に記載の鞍掛型バランスフラッパーが知られている。該鞍掛型バランスフラッパーでは、合成樹脂シートからなるフラッパーが、衣服ハンガーの棒状掛部に回転自在に取り付けられている。フラッパーの表面には、シリコン樹脂等からなる滑り止めが設けられている。該鞍掛型バランスフラッパーによれば、フラッパーの表面に滑り止めが設けられているので、衣服が棒状掛部から脱落することが防止される。
【０００６】
しかしながら、特許文献１に記載の鞍掛型バランスフラッパーでは、以下に説明するように、衣服が棒状掛部から脱落することを十分に防止することは困難であった。より詳細には、鞍掛型バランスフラッパーにおいて、フラッパーは、ＰＣＶやＰＭＭＡ等の硬質な合成樹脂により作製されている。そのため、棒状掛部に衣服を掛けたとしても、フラッパーは、衣服の重みにより撓まない。したがって、フラッパーと衣服とは、比較的小さな面積でしか接触しない。よって、フラッパーと衣服との間において、十分な摩擦力が発生せず、衣服が棒状掛部から脱落するおそれがある。
【特許文献１】特開２００７−３０１０１１号公報
【発明の開示】
【発明が解決しようとする課題】
【０００７】
そこで、本発明の目的は、衣服が棒状部材から脱落することを効果的に防止できる滑り止めシート及びこれを備えたハンガーを提供することである。
【課題を解決するための手段】
【０００８】
本発明の一形態に係る滑り止めシートは、衣服が掛けられる棒状部材を備えたハンガーに取り付けられる滑り止めシートにおいて、前記棒状部材に貼り付けられる固定部と、取り付け状態で、前記固定部から延在し、かつ、可撓性を有している延在部と、を備え、取り付け状態で、前記延在部の少なくとも一部は、鉛直方向の上側から平面視したときに、前記棒状部材及び前記固定部と重なって隠れている領域の外に位置すること、を特徴とする。
【０００９】
また、本発明のその他の形態に係るハンガーは、衣服が掛けられる棒状部材と、前記棒状部材に貼り付けられている固定部、及び、該固定部から延在している延在部により構成されていると共に、可撓性を有している滑り止めシートと、を備え、前記延在部の少なくとも一部は、鉛直方向の上側から平面視したときに、前記棒状部材及び前記固定部と重なって隠れている領域の外に位置していること、を特徴とする。
【発明の効果】
【００１０】
本発明によれば、衣服が棒状部材から脱落することを効果的に防止できる。
【発明を実施するための最良の形態】
【００１１】
以下に、本発明の一実施形態に係る滑り止めシート及びこれを備えたハンガーについて図面を参照しながら説明する。図１は、一実施形態に係るハンガー１０の構成図である。図１は、ハンガー１０が吊り下げられた状態を示している。よって、図１における上下方向は、鉛直方向を示し、図１における左右方向は、水平方向を示す。
【００１２】
図１に示すハンガー１０は、吊り下げ部１２、本体１４、連結部１６ａ，１６ｂ、棒状部材１８及び滑り止めシート２０を備えている。吊り下げ部１２は、円環の一部が切り欠かれた形状を有し、ハンガー１０をクローゼット等のバーに吊り下げるための金属製のフックである。吊り下げ部１２の一端は、本体１４に取り付けられている。
【００１３】
本体１４は、ジャケットやコート等の上着が掛けられる木製又はプラスチック製の部材であり、ショルダー部１４ａ，１４ｂを備えている。ショルダー部１４ａ，１４ｂはそれぞれ、図１に示すように、吊り下げ部１２から斜め下方に向かって延在している。該ショルダー部１４ａ，１４ｂには、上着の肩部分が掛けられる。
【００１４】
連結部１６ａ，１６ｂはそれぞれ、ショルダー部１４ａ，１４ｂの先端近傍に取り付けられたＬ字型の金具であり、ショルダー部１４ａ，１４ｂと棒状部材１８とを連結するための部材である。棒状部材１８は、スラックスやスカート等の衣服が逆Ｕ字状に掛けられるバーであり、連結部１６ａ，１６ｂの間において水平方向に延在している木製又はプラスチック製の部材である。該棒状部材１８は、連結部１６ａ，１６ｂに対して回転しないように固定されている。
【００１５】
滑り止めシート２０は、図１に示すように、棒状部材１８に掛けられた衣服が脱落することを防止するために該棒状部材１８に取り付けられた可撓性を有するシートである。以下に、該滑り止めシート２０について図面を参照しながらより詳細に説明する。図２は、滑り止めシート２０の構成図である。図３は、図１のハンガー１０のＡ−Ａにおける断面構造図である。
【００１６】
滑り止めシート２０は、図２（ａ）に示すように、長方形状の１枚のシートであり、図２（ｂ）に示すように、ベース層２６、不滑加工層２８及び粘着剤層３０により構成されている。ベース層２６は、可撓性を有する紙やフィルム等のシートである。不滑加工層２８は、ベース層２６の一方の主面にゴム、塩化ビニル又は発泡樹脂等が塗布又は接着されて形成された層である。不滑加工層２８と衣服との間に発生する摩擦力は、棒状部材１８と衣服との間に発生する摩擦力よりも大きい。不滑加工層２８は、この摩擦力により衣服が棒状部材１８から脱落することを防止している。粘着剤層３０は、ベース層２６の他方の主面に接着剤が塗布されて形成された層である。
【００１７】
前記のように構成された滑り止めシート２０は、図２（ａ）の点線で示す折り曲げ線Ｌにて２つに折り曲げられ、粘着剤層３０を介して貼り合わされることにより、図３に示すように、棒状部材１８を挟んでいる。より詳細には、滑り止めシート２０は、図３に示すように、折れ線Ｌ近傍において棒状部材１８に巻き付いている。これにより、滑り止めシート２０は、粘着剤層３０により、棒状部材１８に固定されている。以下では、棒状部材１８に貼り付けられている部分を固定部２２と呼び、棒状部材１８から離れるように固定部２２から斜め下方向に延在している部分を延在部２４と呼ぶ。
【００１８】
次に、滑り止めシート２０が取り付けられる方向について図面を参照しながら説明する。図４は、滑り止めシート２０の取り付け方向を説明するための説明図である。図４において、上下方向は、鉛直方向に対応する。
【００１９】
図３では、滑り止めシート２０の取り付け方向の一例として、延在部２４が斜め下方向に延在するように、滑り止めシート２０が棒状部材１８に取り付けられている。ただし、該滑り止めシート２０の取り付け方向は、図３に示したものに限らない。滑り止めシート２０は、図４に示すように、延在部２４の少なくとも一部が、鉛直方向の上側から平面視したときに、棒状部材１８及び固定部２２と重なって隠れている領域Ｅの外に位置するように取り付けられていればよい。
【００２０】
次に、滑り止めシート２０の取り付け方法について、図面を参照しながら説明する。図５及び図６は、滑り止めシート２０の取り付け方法の説明図である。
【００２１】
まず、図２に示す滑り止めシート２０を、短辺同士が重なるように、短辺近傍を貼り合わせてループ状とする。この際、図５に示すように、ループ状の滑り止めシート２０内を、棒状部材１８が貫通している。
【００２２】
次に、図６に示すように、滑り止めシート２０の短辺部分を引っ張りながら、滑り止めシート２０全体を貼り合せる。この際、図４の点線に示すように、延在部２４の先端が領域Ｅの端に位置しているときに、延在部２４が延在している方向（矢印α，β）よりも鉛直方向の上方向に傾いた方向に、滑り止めシート２０の短辺部分を引っ張る。これにより、延在部２４の少なくとも一部が、鉛直方向の上側から平面視したときに、棒状部材１８及び固定部２２と重なって隠れている領域Ｅの外にはみ出すようになる。
【００２３】
以上のように構成された滑り止めシート２０及びこれを備えたハンガー１０によれば、以下に説明するように、衣服が棒状部材１８から脱落することを効果的に防止できる。図７は、棒状部材１８に衣服４０が掛けられた状態の断面構造図である。
【００２４】
前記の通り、滑り止めシート２０は、延在部２４が、鉛直方向の上側から平面視したときに、棒状部材１８及び固定部２２と重なって隠れている領域Ｅの外にはみ出すように設けられている。そのため、衣服４０が逆Ｕ字状に棒状部材１８に掛けられると、滑り止めシート２０の領域Ｅからはみ出した部分が、衣服４０に必ず接触するようになる。更に、滑り止めシート２０は、可撓性を有するシートであるので、衣服４０が棒状部材１８に掛けられると、衣服４０の重みで撓む。これにより、延在部２４は、広い面積で衣服４０と接触するようになると共に、延在部２４の弾性力により衣服４０に押さえつけられるので、滑り止めシート２０と衣服４０との間に大きな摩擦力が発生する。その結果、衣服４０が棒状部材１８から簡単に脱落することが防止される。
【００２５】
また、ハンガー１０では、以下に説明するように、衣服４０が水平方向にスライドして皺がよってしまうことが防止される。より詳細には、特許文献１に記載の鞍掛型バランスフラッパーは、衣服ハンガーの棒状掛部に回転自在に取り付けられている。そのため、鞍掛型バランスフラッパーは、水平方向にスライドしうる。よって、衣服ハンガーが傾いてしまうと、衣服の重みにより、鞍掛型バランスフラッパーが、衣服と共に棒状掛部に沿って水平方向にスライドしてしまう。その結果、鞍掛型バランスフラッパーでは、衣服に皺がよってしまうという問題があった。
【００２６】
一方、滑り止めシート２０は、粘着剤層３０により棒状部材１８に固定されているので、図１において、水平方向にスライドすることがない。よって、ハンガー１０が傾いて、衣服４０の重みにより、滑り止めシート２０が衣服４０と共に水平方向に移動してしまうおそれがない。すなわち、ハンガー１０が傾いても、衣服に皺がよってしまうおそれがない。
【００２７】
なお、ハンガー１０では、滑り止めシート２０は、ゴム、塩化ビニル又は発泡樹脂等がベース層２６に塗布又は接着された不滑加工層２８を備えているとしたが、該滑り止めシート２０の構造は、これに限らない。滑り止めシート２０は、棒状部材１８よりも、衣服４０との間で大きな摩擦を発生するものであれば良く、例えば、起毛の布や不織布、雄面ファスナー等であってもよい。雄面ファスナーは、図８（ａ）に示すように、係合素子４２が、鉤状に曲がったものであってもよいし、図８（ｂ）に示すように、係合素子４２が、曲がっていないものであってもよい。
【００２８】
また、雄面ファスナーや布、不織布が滑り止めシート２０として用いられた場合には、雄面ファスナーや布、不織布の他方の主面に粘着剤層３０を設けるだけでよく、雄面ファスナーや布、不織布の一方の主面に不滑加工を施す必要はない。
【００２９】
なお、図３では、延在部２４は、斜め下方向に向かって延在しているが、例えば、図９に示す断面構造図のように、斜め上方向に向かって延在していてもよい。延在部２４が斜め上方向に向かって延在している場合の方が、延在部２４が斜め下方向に向かって延在している場合よりも、延在部２４が衣服に押さえつけられる力が大きくなる。その結果、延在部２４と衣服との間に発生する摩擦力が大きくなり、衣服が脱落することがより効果的に防止されるようになる。
【図面の簡単な説明】
【００３０】
【図１】一実施形態に係るハンガーの構成図である。
【図２】滑り止めシートの構成図である。
【図３】図１のハンガーのＡ−Ａにおける断面構造図である。
【図４】滑り止めシートの取り付け方向を説明するための説明図である。
【図５】滑り止めシートの取り付け方法の説明図である。
【図６】滑り止めシートの取り付け方法の説明図である。
【図７】棒状部材に衣服が掛けられた状態の断面構造図である。
【図８】雄面ファスナーの拡大図である。
【図９】滑り止めシートのその他の取り付け例を示した断面構造図である。
【符号の説明】
【００３１】
１０  ハンガー
１２  吊り下げ部
１４  本体
１４ａ，１４ｂ  ショルダー部
１６ａ，１６ｂ  連結部
１８  棒状部材
２０  滑り止めシート
２２  固定部
２４  延在部
２６  ベース層
２８  不滑加工層
３０  粘着剤層
４０  衣服
【図１】
2010022451.tif 000003
【図２】
2010022451.tif 000004
【図３】
2010022451.tif 000005
【図４】
2010022451.tif 000006
【図５】
2010022451.tif 000007
【図６】
2010022451.tif 000008
【図７】
2010022451.tif 000009
【図８】
2010022451.tif 000010
【図９】
2010022451.tif 000011